(57)【要約】【課題】コスト高を招くことなく、モータ温度を精度良く検出（測定）できるモータ内部温度推定装置を提供し、また、推定したモータ温度から、冷凍装置の圧縮機内部の温度を推定できる圧縮機内部状態推定装置を提供する。【解決手段】ブラシレスＤＣモータ６は、モータ電流、電圧及び機器定数を用いて回転子１０の回転位置を推定し、その回転位置推定結果に基づいて制御される。推定手段２３にて、モータ電流、電圧及び機器定数からモータ温度を推定する。モータ電流と電圧、及び機器定数である抵抗とインダクタンスからなるモデルを用いて、磁石１７の温度をモータ温度として推定する。【選択図】    図１
2004201425.tif 000002
【特許請求の範囲】
【請求項１】
モータ電流、電圧及び機器定数を用いて回転子（１６）の回転位置を推定し、その回転位置推定結果に基づいて制御されるブラシレスＤＣモータ（６）におけるモータ温度推定装置であって、そのモータ電流、電圧及び機器定数からモータ温度を推定する推定手段（２３）を備えたことを特徴とするモータ温度推定装置。
【請求項２】
モータ電流と電圧、及び機器定数である抵抗とインダクタンスからなるモデルを用いて、磁石（１７）の温度をモータ温度として推定することを特徴とする請求項１のモータ温度推定装置。
【請求項３】
上記磁石（１７）のＮ極の向きにｄ軸を定め、これよりπ／２進んだ方向にｑ軸をとり、三相ＰＭＳＭのモータ基本電圧方程式を、電気角速度ωで回転するｄ、ｑ軸座標系に変換してモータ電圧方程式を求め、このモータ電圧方程式から磁石（１７）による電機子鎖交磁束に関する磁束特性値を算出し、この磁束特性値から上記磁石（１７）の温度を推定することを特徴とする請求項２のモータ温度推定装置。
【請求項４】
上記モータ電圧方程式から定常時の電圧方程式を求め、上記推定時に、この定常時の電圧方程式において、電機子電流のｄ軸成分を０とすることを特徴とする請求項３のモータ温度推定装置。
【請求項５】
冷凍装置の圧縮機（１）の内部状態を推定する圧縮機内部状態推定装置であって、上記請求項１〜請求項４のいずれかのモータ温度推定装置にてモータ温度が推定されるブラシレスＤＣモータ（６）を備え、この推定されるモータ温度を圧縮機内部温度として推定することを特徴とする圧縮機内部温度推定装置。
【請求項６】
上記推定した圧縮機内部温度を、温度検出手段（２２）にて検出される圧縮機吐出管温度等を用いて実際の温度に近づける較正手段（２５）を有することを特徴とする請求項５の圧縮機内部状態推定装置。
【発明の詳細な説明】
【０００１】
【発明の属する技術分野】
この発明は、モータ温度推定装置及び圧縮機内部状態推定装置に関するものである。
【０００２】
【従来の技術】
空気調和装置等の冷凍装置は、一般には、圧縮機と、室外熱交換器と、膨張弁と、室内熱交換器とが順次接続されてなる冷媒システムにて構成される。このような冷凍装置では、圧縮機の加減速や負荷の急激な変動や、圧縮機以外の他の機器の動作不良による不適切な条件での運転により、圧縮機内部の損傷による故障を生じることがあった。そこで、従来のこの種の冷凍装置では、その圧縮機内部の温度を検出して、その検出した温度から正常か異常かを判断して、異常である場合に、その運転を停止して、圧縮機内部の損傷による故障等を生じさせないようにするものがあり、圧縮機内部の温度を検出するために、圧縮機の吐出管温度を検出する温度センサを備えたものがあった（例えば、特許文献１参照）。
【０００３】
【特許文献１】
特開平６−１５９２７０号公報（第４−７頁、図３）
【０００４】
【発明が解決しようとする課題】
上記特許文献１のように、圧縮機の吐出管温度を検出する場合、通常運転時においては、この吐出管温度と、圧縮機内部の温度差はあまり生じないが、ガス流量が少ない場合、温度差が大きくなり、精度の良い圧縮機内部温度を求めることができず、信頼性に劣るものであった。また、内部の温度を精度良く検出しようとすれば、熱電対等の温度センサを圧縮機内部に直接挿入して、この温度センサを利用して圧縮機内部温度を検出することも可能である。しかしながら、このような場合、温度センサの付設作業には手数を要すると共に、コスト高を招くことになる。
【０００５】
この発明は、上記従来の欠点を解決するためになされたものであって、その目的は、コスト高を招くことなく、モータ温度を精度良く推定できるモータ温度推定装置を提供し、また、推定したモータ温度から、冷凍装置の圧縮機内部の温度を推定できる圧縮機内部状態推定装置を提供することにある。
【０００６】
【課題を解決するための手段】
そこで請求項１のモータ温度推定装置は、モータ電流、電圧及び機器定数を用いて回転子１６の回転位置を推定し、その回転位置推定結果に基づいて制御されるブラシレスＤＣモータ６におけるモータ温度推定装置であって、そのモータ電流、電圧及び機器定数からモータ温度を推定する推定手段２３を備えたことを特徴としている。
【０００７】
上記請求項１のモータ温度推定装置では、モータ電流、電圧及び機器定数からモータ温度を推定することができるので、温度検出用センサを必要とせず、しかも、回転位置を推定するためのデータを用いるので、このモータ温度推定装置を形成する場合、既存のこの種のモータに別途他の構成を付加することなく、形成することができる。
【０００８】
請求項２のモータ温度推定装置は、モータ電流と電圧、及び機器定数である抵抗とインダクタンスからなるモデルを用いて、磁石１７の温度をモータ温度として推定することを特徴としている。
【０００９】
上記請求項２のモータ温度推定装置では、磁石１７の温度を簡単な演算にて推定することができる。そして、この磁石１７の温度をもって、モータ温度として代用する。
【００１０】
請求項３のモータ温度推定装置は、上記磁石１７のＮ極の向きにｄ軸を定め、これよりπ／２進んだ方向にｑ軸をとり、三相ＰＭＳＭのモータ基本電圧方程式を、電気角速度ωで回転するｄ、ｑ軸座標系に変換してモータ電圧方程式を求め、このモータ電圧方程式から磁石１７による電機子鎖交磁束に関する磁束特性値を算出し、この磁束特性値から上記磁石１７の温度を推定することを特徴としている。
【００１１】
上記請求項３のモータ温度推定装置では、温度センサを使用することなく、簡単な基本の演算式を利用して確実にモータ温度を推定することができる。
【００１２】
請求項４のモータ温度推定装置は、上記モータ電圧方程式から定常時の電圧方程式を求め、上記推定時に、この定常時の電圧方程式において、電機子電流のｄ軸成分を０とすることを特徴としている。
【００１３】
上記請求項４のモータ温度推定装置では、定常時のモータ電圧方程式を求め、推定時に、このモータ電圧方程式おいて電機子電流のｄ成分を０とするので、演算要素を少なくして、演算誤差を少なくすることができる。
【００１４】
請求項５の圧縮機内部状態推定装置は、冷凍装置の圧縮機１の内部状態を推定する圧縮機内部状態推定装置であって、上記請求項１〜請求項４のいずれかのモータ温度推定装置にてモータ温度が推定されるブラシレスＤＣモータ６を備え、この推定されるモータ温度を圧縮機内部温度として推定することを特徴としている。
【００１５】
上記請求項５の圧縮機内部状態推定装置では、ブラシレスＤＣモータのモータ温度の推定が可能であるので、このモータ温度から圧縮機の内部温度を推定することができる。すなわち、モータが圧縮機内部に配置されるので、このモータ温度を圧縮機内部温度として代用することができる。
【００１６】
請求項６の圧縮機内部状態推定装置は、上記推定した圧縮機内部温度を、温度検出手段２２にて検出される圧縮機吐出管温度等を用いて実際の温度に近づける較正手段２５を有することを特徴としている。
【００１７】
請求項６の圧縮機内部状態推定装置では、較正手段２５にて、推定した温度の信頼性を向上させることができる。また、この較正に使用する実際の温度は、圧縮機吐出管温度等であり、この吐出管温度は、この圧縮機が使用される冷凍装置において吐出管温度制御を行う場合に使用され、この種の冷凍装置には吐出管温度を検出する温度センサが通常配置されている。このため、この較正のために、別途温度センサを追加する必要がない。
【００１８】
【発明の実施の形態】
次に、この発明のモータ温度推定装置及び圧縮機内部状態推定装置の具体的な実施の形態について、図面を参照しつつ詳細に説明する。図１はこの圧縮機内部状態推定装置２９を構成するモータ温度推定装置２８を備えた圧縮機駆動装置３０の簡略図を示す。圧縮機駆動装置３０は、図２に示すように空気調和装置（冷凍装置）に使用される。この空気調和装置は、圧縮機１に、室外熱交換器２、膨張弁（電動膨張弁）３、室内熱交換器４等を順次接続して、冷媒循環回路（冷媒システム）を形成している。そして、四路切換弁５を切換えることによって、冷房運転と暖房運転とが可能とされる。
【００１９】
そして、圧縮機１は、図１に示すように、Ｕ相７とＶ相８とＷ相９の３相のコイル（電機子）１０と、インバータ１１を有するブラシレスＤＣモータ６を備える。この場合のインバータ１１は正弦波ＰＷＭ制御方式である。すなわち、インバータ１１は、交流入力電源をＡＣ−ＤＣ変換回路部１２にて直流に変換し、平滑回路部１３にて平滑にし、ＤＣ−ＡＣ変換回路部（インバータ部）１４にて任意の周波数の交流電源に変換するものである。インバータ１１はインバータ制御手段（図示省略）からのインバータ信号にて、インバータ部１４のトランジスタのＯＮ／ＯＦＦのパターンを変えることによって、周波数と電圧を制御することができる。また、モータ３相コイル１０に加わる電流及び電圧は検出手段１５にて検出することができる。なお、検出手段１５としては、例えば、電流を検出することが可能な電流検出センサ等にて構成される電流検出部と、電圧を検出することが可能な電圧検出センサ等にて構成される電圧検出部とを有する。
【００２０】
ところで、圧縮機１は、図３に示すように、この実施形態ではスクロール形であって、そのブラシレスＤＣモータ６が、上記電機子１０と、ロータ（回転子）１６とを有する。この場合、ブラシレスＤＣモータ６の回転子１６は、図４に示すように内部に磁石（永久磁石）１７・・が埋め込まれた埋込磁石構造のものを使用している。ところで、永久磁石同期モータ（ＰＭＳＭ：Permanent  Magnet Synchronous  Motor）は、直流モータのブラシと整流子による機械的整流を半導体のスイッチング作用に置き換えたモータであり、ブラシレスＤＣモータと呼ぶ。また、ＰＭＳＭは、機械的整流作用を半導体のスイッチング作用で置き換えたため、磁石（永久磁石）１７をロータ側に、電機子１０をステータ側に設けた回転界磁形の構造となる。そして、このブラシレスＤＣモータ６は、モータ電流、電圧及び機器定数を用いて回転子１６の回転位置を推定し、その回転位置推定結果に基づいて制御される。
【００２１】
ところで、上記空気調和装置において、冷房運転を行う場合には、四路切換弁５を図２の実線で示す状態に切換えて圧縮機１のモータ６を駆動させる。これにより、この圧縮機１からの吐出冷媒が、室外熱交換器２を通過した後、膨張弁３で減圧膨張して、室内熱交換器４を通過し、圧縮機１に返流される。この際、室外熱交換器２が凝縮器として機能すると共に、室内熱交換器４が蒸発器として機能して、冷房運転を行うことができる。
【００２２】
また、暖房運転を行う場合には、四路切換弁５を図２の破線で示す状態に切換えて圧縮機１のモータ６を駆動させる。これにより、この圧縮機１からの吐出冷媒が、室内熱交換器４を通過した後、膨張弁３で減圧膨張して、室外熱交換器２を通過し、圧縮機１に返流される。この際、室内熱交換器４が凝縮器として機能すると共に、室外熱交換器２が蒸発器として機能して、暖房運転を行うことができる。
【００２３】
ところで、各運転中には、圧縮機１の加減速や負荷の急激な変動や、圧縮機１以外の他の機器の動作不良による不適切な条件での運転により、圧縮機１内部の損傷による故障を生じることがある。そこで、圧縮機内部状態推定装置２９にて、圧縮機１の内部状態（この場合内部温度）を推定することによって、故障発生を事前に予知したり、故障原因を推定したりしている。
【００２４】
すなわち、圧縮機内部状態推定装置２９はモータ温度推定装置２８にて構成され、モータ温度推定装置２８にて推定されたモータ温度を圧縮機内部温度として推定する。そして、このモータ温度推定装置２８は、上記検出手段１５と、演算装置（演算手段）２０と、記憶装置（記憶手段）２１、機器定数入力手段２４等を備える。この場合、検出手段１５と演算手段２０と記憶手段２１と機器定数入力手段２４とでモータ温度を推定する推定手段２３を構成する。なお、演算手段２０及び記憶手段２１等はマイクロコンピュータ等にて構成することができる。
【００２５】
この場合、モータ温度の推定は、モータ電流、電圧及び機器定数から回転子１６の磁石（永久磁石）１７の温度を推定するものである。具体的には、モータ電流と電圧、及び機器定数である抵抗とインダクタンスからなるモデル（この場合のモデルは回転座標モデルである）を用いて推定する。この際、数１に示すようなＰＭ同期モータの電圧方程式を使用する。
【００２６】
【数１】
2004201425.tif 000003
【００２７】
すなわち、図５に示すような三相のＰＭＳＭの２極の基本モデル（回転座標モデル）のように、磁石１７のＮ極の向きにｄ軸を定め、これよりπ／２進んだ方向にｑ軸をとる。この際、Ｕ相巻線を基準に時計廻りにとったｄ軸の進み角をθとすると、電機子自己インダクタンスは数２の数式となり、相互インダクタンスは数３の数式となり、磁石１７の電機子鎖交磁束は数４の数式になる。
【００２８】
【数２】
2004201425.tif 000004
【００２９】
【数３】
2004201425.tif 000005
【００３０】
【数４】
2004201425.tif 000006
【００３１】
この数２から数４から上記数１の式を得ることができる。また、三相座標系からｄ、ｑ座標系に変換する変換行列は次の数５の数式となる。この変換行列を用いて、上記数１の基本電圧方程式を、電気角速度ωで回転するｄ、ｑ軸座標系に変換すれば、ＰＭＳＭの電圧方程式は次の数６の数式となる。
【００３２】
【数５】
2004201425.tif 000007
【００３３】
【数６】
2004201425.tif 000008
【００３４】
また、定常時においては、上記数６の数式において、微分演算子ｐが０となるので、この定常時のモータ電圧方程式は次の数７の数式となる。
【００３５】
【数７】
2004201425.tif 000009
【００３６】
そして、数７においてψを求め、このψから磁石１７の温度を推定する。ここで、ψは、磁石１７による電機子鎖交磁束に関する磁束特性値である。具体的には、ψ＝√３ψｅで求めることができ、ψｅは永久磁石による電機子鎖交磁束の実効値である。この際、図６のように、βを０として電流位相を０とした場合において、ｉｄ（電機子電流のｄ軸成分）を０とすれば、ｖｑ（電機子電圧のｑ軸成分）は次の数８の数式となって、これから数９のように、上記ψを求めることができる。このψが求まれば、図７のような、ψと温度との関係を示す線図（磁束−温度線図）から温度（磁石の温度）を推定することができる。すなわち、この線図は、実際の温度に対するψの値であり、予め作成してこれを上記記憶手段２１に入力しておく。そして、上記演算手段２０にてこのψが演算されれば、この演算結果が記憶手段２１に入力され、これにより、モータ温度を推定する。
【００３７】
【数８】
2004201425.tif 000010
【００３８】
【数９】
2004201425.tif 000011
【００３９】
また、通常制御時は、ｖｑは次の数１０の数式となって、これから数１１のように、ψを求めることができる。そして、上記線図（磁束−温度線図）から、この求めたψに基づいて温度（磁石の温度）を推定することができる。ところで、上記演算においては、モータ電流と電圧とは検出手段１５に検出され、このモータ電流及び電圧と、機器定数入力手段２４からの機器定数である抵抗及びインダクタンスとが演算手段２０に入力される。このため、上記の各演算式に必要なデータ（数値）を確実に得ることができる。
【００４０】
【数１０】
2004201425.tif 000012
【００４１】
【数１１】
2004201425.tif 000013
【００４２】
また、電機子鎖交磁束に関する磁束特性値としては、上記のψに限るものではなく、このψが、√３ψｅであるので、このψｅを磁束特性値として、このψｅと温度との関係の線図（磁束−温度線図）を作成することができ、これによって、モータ温度を推定するようにしてもよい。なお、ψｅとは、上記したように、磁石１７による電機子鎖交磁束の実効値である。
【００４３】
上記のようにモータ温度（この実施の形態では、磁石１７の温度）を推定することができ、この推定した温度から圧縮機１の内部温度を推定することができる。これによって、圧縮機１が正常か異常かを判断でき、異常状態での運転を回避して、圧縮機内部の損傷による故障等を生じさせないようにすることができる。なお、この温度推定としては、運転中において常時行っても、ある条件下（例えば、モータ回転数やモータ電流が所定値になったとき）において、上記のように、βが０となるような状態を作って、ｉｄ（電機子電流のｄ軸成分）を０として、ψを求め、これから温度を推定するようにしてもよい。
【００４４】
ところで、βが０となるような状態を作れば、ｄ軸インダクタンスＬｄが不使用となって、温度変動等による定数の変化にともなう演算誤差が少なくなり、温度推定精度がよくなり、しかも、この実施形態のような冷凍装置においては、ガス欠エリアにおいても温度推定可能性があるが、測定エリアが狭く、運転中にβを０とする測定モードをする必要がある。また、βを０としない通常時では、全ての運転エリアにおいて温度推定が可能であり、しかも、運転中常時推定が可能であるが、ｄ軸インダクタンスＬｄの同定の精度を向上させる必要がある。すなわち、βを０とする場合であっても、βを０としない場合であっても、それぞれ長所と短所とがあり、どちらを採用してもよい。
【００４５】
また、図２に示すような冷凍装置（空気調和機）では、圧縮機１の吐出管温度に基づく吐出管温度制御運転を行うので、吐出管１８には温度検出手段２２としての温度センサ２２ａが付設されている。そのため、この圧縮機内部状態推定装置は、上記推定した温度が実際の温度に対して相違する場合に、この吐出管温度を利用して、推定する温度を、実際の温度に近づける較正手段２５（上記演算装置２０にて構成することができる）を備える。
【００４６】
すなわち、ガス流量が正常であれば、吐出管温度は圧縮機内部温度とほぼ同一であるので、推定した温度がこの吐出管温度と相違する場合、その推定された温度が正確でないことになり、この推定した温度に補正値を付加するようにすればよい。また、この較正は、運転中において常時行っても、モータ電流や吐出管温度がある一定時間の間、ある範囲を示したときに行うようにすることもできる。
【００４７】
上記モータ温度推定装置では、モータ電流、電圧及び機器定数からモータ温度を推定することができるので、温度検出用センサを必要とせず、しかも、回転位置を推定するためのデータを用いるので、他の構成の付加もあまり必要としない。これにより、低コストにて信頼性の高いモータ温度を得ることができる。特に、モータ電流と電圧、及び機器定数である抵抗とインダクタンスからなる回転座標モデルを用いて、磁石の温度をモータ温度として推定するので、磁石１７の温度を簡単に推定することができる。さらに、簡単な演算式（基本電圧方程式）を利用して確実にモータ温度を推定することができる。しかも、磁石１７のＮ極の向きにｄ軸を定め、これよりπ／２進んだ方向にｑ軸をとり、三相ＰＭＳＭのモータ基本電圧方程式を、電気角速度ωで回転するｄ、ｑ軸座標系に変換してモータ電圧方程式を求め、このモータ電圧方程式から定常時の電圧方程式を求め、推定時に、この定常時の電圧方程式において、電機子電流のｄ軸成分を０とするので、ｄ軸インダクタンスＬｄを不使用として、演算要素を少なくすることができる。このため、温度変動等による定数の変化にともなう演算誤差を少なくすることができる。
【００４８】
また、上記圧縮機内部状態推定装置は、上記のようにモータ温度が推定されるブラシレスＤＣモータ６を備え、このモータ温度から圧縮機１の内部温度を推定することができ、これによって、圧縮機内部の状態を推定することできる。特に、較正手段２５にて、推定した温度の信頼性を向上させることができる。このため、この圧縮機内部状態推定装置は、圧縮機１が正常状態で駆動している場合に、異常を判断したり、逆に、圧縮機が異常状態で駆動している場合に、正常と判断したりすることがなくなる。正常か否かの判断を正しく行えなければ、例えば、圧縮機が空気調和機に使用されている場合等において、正常状態であるにもかかわらず異常と判断すれば、この判断によって、その運転を停止することになり、室内を快適空間にすることができず、逆に、異常であるにもかかわらず正常と判断すれば、そのまま空調運転が行われ、空気調和機が故障したり、消費電力が大となったりするおそれがある。これに対して、この圧縮機内部状態推定装置によれば、圧縮機の内部状態（内部温度）を精度良く推定でき、このようなおそれはない。
【００４９】
ところで、圧縮機１の運転に際しては、起動時に圧縮機１の内部温度を推定し、この温度またはその後の温度上昇程度を推定し、この起動時の温度や温度上昇が異常であれば、その運転を停止するようにしてもよい。これにより、異常検出の早期検出が可能となり、異常状態での長時間の運転を回避して圧縮機１の損傷等を防止できる信頼性の向上を図ることができる。
【００５０】
以上にこの発明の具体的な実施の形態について説明したが、この発明は上記形態に限定されるものではなく、この発明の範囲内で種々変更して実施することができる。例えば、回転子（ロータ）１６として、図４に示すような埋込磁石構造のものを使用したが、もちろんロータ表面に永久磁石を張り付けた表面磁石構造のものであってもよい。また、圧縮機１として、スクロール形に限るものではなく、スイング形等の他のタイプであってもよい。さらに、較正手段２５において、推定した温度を比較する実際の温度として、吐出管温度に限るものではなく、実際の圧縮機内部温度と実質的に同一または実際の圧縮機内部温度に対して比例するもの等を採用することができる。また、冷凍装置として、図２に示すような空気調和装置に限るものではなく、温度推定が可能なブラシレスＤＣモータ６を備えた圧縮機１を使用した各種の冷凍装置であってもよい。さらに、モータ温度の推定に用いるモデルとして、回転座標モデルではなく固定座標系を使用することも可能である。
【００５１】
【発明の効果】
請求項１のモータ温度推定装置によれば、モータ電流、電圧及び機器定数からモータ温度を推定することができるので、温度検出用センサを必要とせず、しかも、回転位置を推定するためのデータを用いるので、他の構成の付加もあまり必要としない。これにより、低コストにてモータ温度を得ることができる。そして、モータ温度が推定できれば、例えば、この推定したモータ温度から、このモータが正常に駆動しているか否かの判断を行うことができ、異常であれば、このモータが故障等を起こす場合があるので、故障を起こす前にその使用を中止して、故障することを回避することができる。
【００５２】
請求項２のモータ温度推定装置によれば、磁石の温度を簡単な演算にて推定することができる。そして、この磁石の温度をもって、モータ温度とすることができる。このため、この推定したモータ温度は、信頼性が高いことになる。
【００５３】
請求項３のモータ温度推定装置によれば、温度センサを使用することなく、簡単な基本の演算式を利用して確実にモータ温度を推定することができる。
【００５４】
請求項４のモータ温度推定装置によれば、定常時のモータ電圧方程式を求め、推定時に、このモータ電圧方程式おいて電機子電流のｄ成分を０とすれば、演算要素を少なくして、演算誤差を少なくすることができる。これにより、高精度に温度を推定できる。
【００５５】
請求項５の圧縮機内部状態推定装置によれば、ブラシレスＤＣモータのモータ温度の推定が可能であるので、このモータ温度から圧縮機の内部温度を推定することができ、これによって、圧縮機内部の状態を推定することでき、圧縮機の故障等を未然に防止できる。
【００５６】
請求項６の圧縮機内部状態推定装置によれば、較正手段にて、推定した温度の信頼性を向上させることができる。これにより、圧縮機が正常状態で駆動している場合に、異常を判断したり、逆に、圧縮機が異常状態で駆動している場合に、正常と判断したりすることがなくなる。また、この較正に使用する実際の温度は、圧縮機吐出管温度等であり、この吐出管温度は、この圧縮機が使用される冷凍装置において吐出管温度制御を行う場合に使用され、この種の冷凍装置には通常吐出管温度を検出する温度センサが配置されている。このため、較正のために、別途温度センサを追加する必要がなく、コスト低減に寄与する。
【図面の簡単な説明】
【図１】この発明のモータ温度推定装置の実施形態を示す簡略図である。
【図２】上記モータ温度推定装置を用いた空気調和装置の簡略図である。
【図３】上記空気調和装置の圧縮機の簡略断面図である。
【図４】上記空気調和装置の圧縮機に使用されるブラスレスＤＣモータの断面図である。
【図５】上記ブラスレスＤＣモータの回転座標モデル図である。
【図６】モータ電圧方程式から磁石による電機子鎖交磁束に関する磁束特性値を求めるためのグラフ図である。
【図７】上記磁束特性値と温度との関係を示すグラフ図である。
【符号の説明】
１  圧縮機
６  ブラシレスＤＣモータ
１６  回転子
１７  磁石
２２  温度検出手段
２３  推定手段
２５  較正手段
【図１】
2004201425.tif 000014
【図２】
2004201425.tif 000015
【図３】
2004201425.tif 000016
【図４】
2004201425.tif 000017
【図５】
2004201425.tif 000018
【図６】
2004201425.tif 000019
【図７】
2004201425.tif 000020